(57)【要約】【課題】使用者に聞こえやすい音を出し、かつ水をこぼしても壊れない構成とした健康データ収集装置を提供することを目的とする。【解決手段】使用者６に報知するための報知部３と、使用者６が操作をするための操作部９と、報知部３としてスピーカー７を備え、スピーカー７は外郭ケース８の内部に装備し、外郭ケース８の使用者６の前方直近の壁１０に音を通す音出孔１１を設け、スピーカー７の前面と背面を遮断し、かつスピーカー７の前面と音出孔１１をつなぐ音道１２を備えたことによって、スピーカー７の前面と背面で放出される位相が逆の音がスピーカー７の周辺で打ち消しあうことをなくし、また、水などをこぼし、音出孔１１から水が入ったとしても、スピーカー７までに音道１２すなわち距離があり、水がスピーカー７まで到達しない。【選択図】  図１
2004313300.tif 000002
【特許請求の範囲】
【請求項１】
使用者に報知するための報知部と、使用者が操作をするための操作部と、健康データを入力するためのデータ入力部と、通信回線を通じて外部の通信先と通信するための通信部と、前記各部を制御するための制御部と、前記各部を収めるための外郭ケースとを備え、前記報知部としては、外郭ケースの内部に装備したスピーカーを有し、外郭ケースの使用者の前方直近の壁にスピーカーからの音を通す音出孔を設け、スピーカーの前面と背面を遮断し、かつスピーカーの前面と音出孔をつなぐ音道を設けた健康データ収集装置。
【請求項２】
音出孔は、使用者に向かって斜め下に向けて開口した請求項１に記載の健康データ収集装置。
【請求項３】
音出孔を備えた外郭ケースの使用者の前方直近の壁は、使用者に向かって遠ざかる方向に斜め下に向けて構成した請求項１または２に記載の健康データ収集装置。
【請求項４】
音出孔を備えた外郭ケースの使用者の前方直近の壁と、外郭ケースの底面との付け根付近に、音道の下面と底面を突き抜いて音道内から下方向に向かって水出孔を備えた請求項１〜３のいずれか１項に記載の健康データ収集装置。
【請求項５】
スピーカーは、スピーカーの前面を使用者に向かって斜め下に向けて設けた請求項１〜４のいずれか１項に記載の健康データ収集装置。
【請求項６】
操作部は、外郭ケースの使用者の前方直近の上部に構成した請求項１〜５のいずれか１項に記載の健康データ収集装置。
【発明の詳細な説明】
【０００１】
【発明の属する技術分野】
本発明は、患者及びその家族あるいは看護する人（以下患者も含めて健康データ収集装置を使用する人のことを使用者と呼ぶ）が家庭に居ながらにして各種測定機器により自分自身及び患者のさまざまな健康データを採取し、その健康データを健康管理に用いる、あるいは病院に伝送することにより医師による遠隔診断を行うことを可能とする健康データ収集装置に関する。
【０００２】
【従来の技術】
従来、この種の健康データ収集装置は、各種測定機器によりさまざまな健康データを採取し、その健康データを用いて健康管理を行う、あるいは病院の医師に伝送することにより遠隔診断が行えるようにするものであり、使用者が健康データ収集装置を使用して、家に居ながらにして健康データを収集することを可能としている（例えば、特許文献１参照）。
【０００３】
これは、図７に示すように、各種測定機器を赤外線などの通信手段やキーボードなどを用いて入力するデータ入力部１と、外部の通信先と通信するための通信部２と、表示部４を有する報知部３と、前記各部１〜４と接続し制御するための制御部５とを装備している。そして、データ入力部１によって入力されたデータは、制御部５を経て通信部２により外部の通信先に通信され、報知部３により、入力されたデータや操作方法を使用者に報知するようにしている。
【０００４】
このようにして、使用者により入力されたデータは通信部２によって、外部の通信回線を通じて医療機関などに設置されたホストに伝えられ、医師などがホストに蓄えられたデータにアクセスすることにより遠隔的に患者の健康データを知ることができ、報知部３によって、入力されたデータや操作方法を使用者に報知する。これにより、使用者が健康データを用いて健康管理を行うことができ、かつ、操作方法が分からないということがなく操作しやすい。このように、従来の健康データ収集装置は医師と患者との間に物理的距離がある場合でも、患者の健康データを医師および患者が把握でき、医師と患者が相互に行き来することが充分できない場合でも充実した健康ケアができる。
【０００５】
【特許文献１】
特開平０９−４９８号公報
【０００６】
【発明が解決しようとする課題】
しかしながら、前記従来の健康データ収集装置は、測定機器により収集された健康データを医師側に伝送し、その健康データにより医師が遠隔診断を行うものであるが、使用者が操作方法を熟知していないと、（１）健康データを表示できず、健康管理が不可能、（２）健康データを収集できず、健康管理が不可能であり、医師による遠隔診断も不可能、（３）健康データを医師側に確実に伝送することができず、医師による遠隔診断が不可能、などの状態となってしまう。そこで、操作方法を使用者に熟知しなくても操作を確実に誘導できるようにするためには、表示部４による報知だけでなく、音による報知も必要かつ不可欠である。この場合、高齢者等を考慮すると使用者に聞こえやすいように音の出る部分を使用者の前方直近に備えたいが、健康データ収集装置の性質上、家庭に設置されるため、家庭において通常考えられるアクシデントである、「水をこぼす」などにより、音の出る部分を使用者の前方直近に備えると水が浸入し易く、音の出る部分の部品が壊れやすいという課題があった。
【０００７】
本発明は、前記従来の課題を解決するもので、使用者に聞こえやすい音を出し、かつ、家庭において通常考えられるアクシデントである「水をこぼす」などでは壊れない構成とした健康データ収集装置の提供を目的とする。
【０００８】
【課題を解決するための手段】
前記従来の課題を解決するために、本発明の健康データ収集装置は、報知部としては、外郭ケースの内部に装備したスピーカーを有し、外郭ケースの使用者の前方直近の壁にスピーカーからの音を通す音出孔を設け、スピーカーの前面と背面を遮断し、かつスピーカーの前面と音出孔をつなぐ音道を設けたものである。
【０００９】
これにより、スピーカーが音を出す時、その前面と背面で位相が逆の音が出されて、両者がスピーカーの周辺で打ち消しあって音響出力が弱められるということがなく、また、家庭において通常考えられるアクシデントである「水をこぼす」などにより、使用者の前方直近の壁に備えられた音出孔から水が入ったとしても、スピーカーまでに音道すなわち距離があり、水がスピーカーまで到達しにくくなる。
【００１０】
【発明の実施の形態】
請求項１に記載の発明は、使用者に報知するための報知部と、使用者が操作をするための操作部と、健康データを入力するためのデータ入力部と、通信回線を通じて外部の通信先と通信するための通信部と、前記各部を制御するための制御部と、前記各部を収めるための外郭ケースとを備え、前記報知部としては、外郭ケースの内部に装備したスピーカーを有し、外郭ケースの使用者の前方直近の壁にスピーカーからの音を通す音出孔を設け、スピーカーの前面と背面を遮断し、かつスピーカーの前面と音出孔をつなぐ音道を設けた健康データ収集装置とすることにより、スピーカーが音を出す時、その前面と背面で位相が逆の音が出されて、両者がスピーカーの周辺で打ち消しあって音響出力が弱められるということがなく、また、家庭において通常考えられるアクシデントである「水をこぼす」などにより、使用者の前方直近の壁に備えられた音出孔から水が入ったとしても、スピーカーまでに音道すなわち距離があり、水がスピーカーまで到達しにくく、スピーカーの故障を防止できる。
【００１１】
請求項２に記載の発明は、音出孔は、使用者に向かって斜め下に向けて開口した請求項１に記載の健康データ収集装置とすることにより、家庭において「水をこぼす」などがあっても、音出孔の開口が斜め下に向けてあるため、水が入ることを抑制でき、スピーカーの故障を防止できる。
【００１２】
請求項３に記載の発明は、音出孔を備えた外郭ケースの使用者の前方直近の壁は、使用者に向かって遠ざかる方向に斜め下に向けて構成した請求項１または２に記載の健康データ収集装置とすることにより、家庭において「水をこぼす」などがあっても、外郭ケースの壁が斜め下に向けて構成されているため、音出孔から水が入ることを抑制でき、スピーカーの故障を防止できる。
【００１３】
請求項４に記載の発明は、音出孔を備えた外郭ケースの使用者の前方直近の壁と、外郭ケースの底面との付け根付近に、音道の下面と底面を突き抜いて音道内から下方向に向かって水出孔を備えた請求項１〜３のいずれか１項に記載の健康データ収集装置とすることにより、家庭において「水をこぼす」などがあって、音出孔から水が入っても、水出孔から水が出て行き、スピーカーの故障を防止できる。
【００１４】
請求項５に記載の発明は、スピーカーは、スピーカーの前面を使用者に向かって斜め下に向けて設けた請求項１〜４のいずれか１項に記載の健康データ収集装置とすることにより、家庭において「水をこぼす」などがあって、音出孔から水が入っても、スピーカーには水がかかりにくく、故障を防止できるとともに、スピーカーを外郭ケース内部に装備する際に、外郭ケースの厚み方向（高さ方向）に大きなスペースを必要とせず、比較的大きなスピーカーを取り付けることでき、音を良くすることができる。
【００１５】
請求項６に記載の発明は、操作部は、外郭ケースの使用者の前方直近の上部に構成した請求項１〜５のいずれか１項に記載の健康データ収集装置とすることにより、操作部を手で操作する際に、操作しやすい。特に、操作部の外郭ケースの底面からの高さが４０ｍｍ以下であれば、疲れにくいものである。
【００１６】
【実施例】
以下、本発明の実施例について、図面を参照しながら説明する。
【００１７】
（実施例１）
図１、図２は本発明の実施例１における健康データ収集装置を示すものである。
【００１８】
図に示すように、従来の構成に加えて、使用者６に報知するための報知部３としてスピーカー７を外郭ケース８の内部に装備している。また、報知部３としての表示部４は、使用者６が操作をするための操作部９とともに、外郭ケース８の上部に構成している。また、健康データを入力するためのデータ入力部１と、通信回線を通じて外部の通信先と通信するための通信部２と、各部１〜４を制御するための制御部５とは、外郭ケース８の内部に構成し、外郭ケース８の使用者６の前方直近の壁１０には、音を通す音出孔１１を少なくとも一つ構成し、かつスピーカー７の前面と背面を遮断し、スピーカー７の前面と音出孔１１をつないで音道１２を設けている。
【００１９】
以上のように構成された健康データ収集装置において、使用者６は各種健康データを収集しようとする場合、最初に操作を誘導する報知内容、すなわち、「何の測定をおこないますか。１：血圧、２：体重、３：血糖値」が制御部５を通して報知部３であるスピーカー７および表示部４により使用者６に報知される。報知された内容に対し、使用者６は操作部９から上下の選択ボタン９ａと決定ボタン９ｂおよびキャンセルボタン９ｃにより選択及び決定、あるいはキャンセル後さらに選択及び決定をすると、「データ入力部１に血圧計のコードを接続してください」が制御部５を通して報知部３であるスピーカー７および表示部４により使用者６に報知される。これに対し、健康データ収集装置に対応する各種測定機器を健康データ収集装置のデータ入力部１に接続し、各種の測定を行う。この状態で各種測定機器により測定された健康データが、健康データ収集装置へと伝送される。この時、測定中のデータが制御部５を通して報知部３であるスピーカー７および表示部４により使用者６に報知される。その後、「測定が終了しました」が制御部５を通して報知部３であるスピーカー７および表示部４により使用者６に報知された後、測定結果が制御部５を通して報知部３であるスピーカー７および表示部４により使用者６に報知されると同時に、健康データ収集装置の制御部５を通して通信部２から電話回線へ、電話回線を通して病院にいる医師まで健康データが伝送される。
【００２０】
伝送された健康データにより医師が診断することができるわけであるが、この時、スピーカー７の前面から出た音は音道１２を通り、使用者６の前方直近の壁１０に構成された音出孔１１を通って使用者６に向かって放出され、スピーカー７の背面から出た音はケース外郭８内部に放出され、音道１２とケース外郭８によって閉じ込められ、使用者６に向かっては放出されないこととなり、スピーカー７の振動板が振動して音を放出する時、振動板の前面と背面で位相が逆の音が放出されて両者が振動板の周辺で打ち消しあって、音響出力が弱められるということがなく、音質もよく、音を聞こえやすくすることができる。
【００２１】
さらに、水などを健康データ収集装置にこぼした場合、水は音出孔１１からケース外郭８内部にある程度は浸入するが、通常不意にこぼしてしまった水程度では、音道１２内に留まり、スピーカー７を濡らしてしまうことがなく、報知部３であるスピーカー７の故障を防止することができる。
【００２２】
なお、本実施例において、操作部９を上下の選択ボタン９ａと決定ボタン９ｂおよびキャンセルボタン９ｃとしたが、「ＹＥＳ」「ＮＯ」ボタンとかの簡易なものでもよく、あるいは、操作部９を使用せず、別途マイクを備えるか、データ入力部１を利用して音声による操作とすれば、さらに操作性を快適なものとすることができる。
【００２３】
また、病院にいる医師からの診断結果や問診などを電話回線を通して健康データ収集装置の通信部２へ伝送し、制御部５を通して報知部３であるスピーカー７および表示部４により使用者６に報知されるようにすれば、診断結果を参考に健康管理することができる。また、問診に対しては操作部９あるいはマイクやデータ入力部１を利用して音声により答えられるようにし、データ入力部１から再度健康データを収集し、医師に伝送することもでき、最初に伝送した健康データにより医師が判断できないような状況があったとしても、別途電話等で話す必要がなく、健康データ収集装置だけで遠隔診断を完了することができる上、表示部４のみでなくスピーカー７によっても使用者６に報知することができるため、使用者６が健康データ収集装置の前に居なくても、スピーカー７からの音が聞こえる範囲に居れば認識でき、医師とのコミュニケーションがより緊密になり、医師の診断をより確実にすることができる。
【００２４】
（実施例２）
図３は本発明の実施例２における健康データ収集装置を示すものである。
【００２５】
本実施例において、実施例１との相違は、図に示すように、外郭ケース８の使用者６の前方直近の壁１０に構成された音を通す音出孔１１を、使用者６に向かって斜め下に向けて開口したことである。他は実施例１と同様である。
【００２６】
これにより、家庭において通常考えられるアクシデントである「水をこぼす」などで使用者６の前方直近の壁１０に備えられた音出孔１１から水が入ることを抑制し、報知部３であるスピーカー７の故障を防止できるようにしている。
【００２７】
（実施例３）
図４は本発明の実施例３における健康データ収集装置を示すものである。
【００２８】
本実施例において、実施例１との相違は、図に示すように、音出孔１１を備えた外郭ケース８の使用者６の前方直近の壁１０を、使用者６に向かって遠ざかる方向に斜め下に向けて構成したことである。他は実施例１と同様である。
【００２９】
これにより、家庭において通常考えられるアクシデントである「水をこぼす」などで使用者６の前方直近の壁１０に備えられた音出孔１１から水が入ることを抑制し、報知部３であるスピーカー７の故障を防止できるようにしている。
【００３０】
（実施例４）
図５は本発明の実施例４における健康データ収集装置を示すものである。
【００３１】
本実施例において、実施例１との相違は、図に示すように、音出孔１１を備えた外郭ケース８の使用者６の前方直近の壁１０と、外郭ケース８の底面１３との付け根付近に、音道１２の下面１４と外郭ケースの底面１３を突き抜いて音道１２内から下方向に向かって水出孔１５を備えたことである。他は実施例１と同様である。
【００３２】
これにより、家庭において通常考えられるアクシデントである「水をこぼす」などで使用者６の前方直近の壁１０に備えられた音出孔１１から水が入っても、水出孔１５から水が出て行き、報知部３であるスピーカー７の故障を防止できる。
【００３３】
（実施例５）
図６は本発明の実施例５における健康データ収集装置を示すものである。
【００３４】
本実施例において、実施例１との相違は、図に示すように、スピーカー７を、スピーカー７の前面が使用者６に向かって斜め下に向くように構成したえたことである。他は実施例１と同様である。
【００３５】
これにより、家庭において通常考えられるアクシデントである「水をこぼす」などで使用者６の前方直近の壁１０に備えられた音出孔１１から水が入っても、報知部３であるスピーカー７の振動板には水がかかりにくく、故障を防止できるとともに、スピーカ−７を外郭ケース８内部に構成する際に、外郭ケース８の厚み方向（高さ方向）に大きなスペースを必要とせず、比較的大きなスピーカー７を取り付けることでき、音を良くすることができる。
【００３６】
また、操作部９を、外郭ケース８の使用者の前方直近の上部に構成し、操作部９の外郭ケース８の底面１３からの高さが４０ｍｍ以下であることにより、操作部９を手で操作する際に、操作しやすく、疲れにくくすることができる。
【００３７】
【発明の効果】
以上のように、本発明の健康データ収集装置によれば、報知部としては、外郭ケースの内部に装備したスピーカーを有し、外郭ケースの使用者の前方直近の壁にスピーカーからの音を通す音出孔を設け、スピーカーの前面と背面を遮断し、かつスピーカーの前面と音出孔をつなぐ音道を設けたものであり、スピーカーが音を出す時、その前面と背面で位相が逆の音が出されて、両者がスピーカーの周辺で打ち消しあって音響出力が弱められるということがなく、また、家庭において通常考えられるアクシデントである「水をこぼす」などにより、使用者の前方直近の壁に備えられた音出孔から水が入ったとしても、スピーカーまでに音道すなわち距離があり、水がスピーカーまで到達しにくくなり、故障しないものである。
【図面の簡単な説明】
【図１】本発明の実施例１における健康データ収集装置の側断面図
【図２】同健康データ収集装置の斜視図
【図３】本発明の実施例２における健康データ収集装置の側断面図
【図４】本発明の実施例３における健康データ収集装置の側断面図
【図５】本発明の実施例４における健康データ収集装置の側断面図
【図６】本発明の実施例５における健康データ収集装置の側断面図
【図７】従来の健康データ収集装置の構成図
【符号の説明】
１  データ入力部
２  通信部
３  報知部
４  表示部
５  制御部
６  使用者
７  スピーカー
８  外郭ケース
９  操作部
１０  使用者の前方直近の壁
１１  音出孔
１２  音道
１３  底面
１４  下面
１５  水出孔
【図１】
2004313300.tif 000003
【図２】
2004313300.tif 000004
【図３】
2004313300.tif 000005
【図４】
2004313300.tif 000006
【図５】
2004313300.tif 000007
【図６】
2004313300.tif 000008
【図７】
2004313300.tif 000009